(57)【要約】【目的】   図柄表示体の確定図柄が当り図柄となる確率をゲ−ム進行中に切換えてゲ−ムに対する期待感を高める。【構成】  可動翼片１５によって開閉される大入賞口１４に落入した入賞球を振り分ける振り分け機構２０と、特別領域２４を通過した特定球を検出する特定球検出スイッチ２５と、図柄表示体４０とを備えた入賞装置２を遊技盤面１ａに設置し、大入賞口１４の開閉態様を図柄表示体４０が変動表示後確定した確定図柄に基いて指定し、また、この確定図柄のうち当り図柄が出現する確率を１回目の確定図柄が当り図柄となったときに通常確率から高確率に切換える。【選択図】      図４
2006122717.tif 000002
【特許請求の範囲】
【請求項１】
拡開動作および復帰動作によって大入賞口を開閉する可動翼片と、大入賞口に落入した入賞球を振り分ける振り分け機構と、この振り分け機構によって振り分けられた入賞球のうち遊技者に利益を与える特定領域を通過した特定球を検出する特定球検出スイッチと、特定球が検出されたときに図柄の変動表示を停止して図柄を確定する図柄表示体とを備えた入賞装置を遊技盤面に設置するとともに、大入賞口の開閉態様を前記図柄表示体が確定した確定図柄に基いて指定する開閉態様指定手段と、前記確定図柄のうち当り図柄が出現する確率をゲ−ム進行中に切換える確率切換え手段とを設けたことを特徴とするパチンコ機。
【請求項２】
前記図柄表示体が１回目の特定球検出時に確定した確定図柄が当り図柄となったときに２回目の特定球検出によって当り図柄が出現する確率が前記確率切換え手段によって通常確率から高確率に切換えられるように設定したことを特徴とする請求項１記載のパチンコ機。
【請求項３】
前記振り分け機構が入賞球を振り分ける球振り分け態様が前記図柄表示体が確定した確定図柄に基いて指定されるように設定したことを特徴とする請求項１記載のパチンコ機。
【発明の詳細な説明】
【技術分野】
【０００１】
この発明は可動翼片によって開閉される大入賞口および遊技者に利益を与える特定領域を備えた入賞装置が遊技盤に装着されたパチンコ機に関する。
【背景技術】
【０００２】
従来の技術としては例えば特開平５−１７７号公報がある。
この公報には入賞球が特定入賞領域を通過したときに図柄を変動表示した後特定表示する図柄表示体を入賞装置に設けてこの図柄表示体が特定表示した図柄の表示結果に基いて可動翼片の拡開動作回数を設定するようにしたパチンコ機が開示されている。
【発明の開示】
【発明が解決しようとする課題】
【０００３】
本発明は図柄表示体が確定した確定図柄が遊技者に利益を与える図柄となる確率を変化させることによってゲ−ムに対する期待感を高めることを課題とするものである。
【課題を解決するための手段】
【０００４】
本発明のパチンコ機は、拡開動作および復帰動作によって大入賞口を開閉する可動翼片と、大入賞口に落入した入賞球を振り分ける振り分け機構と、この振り分け機構によって振り分けられた入賞球のうち遊技者に利益を与える特定領域を通過した特定球を検出する特定球検出スイッチと、特定球が検出されたときに図柄の変動表示を停止して図柄を確定する図柄表示体とを備えた入賞装置を遊技盤面に設置するとともに、大入賞口の開閉態様を前記図柄表示体が確定した確定図柄に基いて指定する開閉態様指定手段と、前記確定図柄のうち当り図柄が出現する確率をゲ−ム進行中に切換える確率切換え手段とを設けた構成を有し、また、前記図柄表示体が１回目の特定球検出時に確定した確定図柄が当り図柄となったときに２回目の特定球検出によって当り図柄が出現する確率が前記確率切換え手段によって通常確率から高確率に切換えられるように設定した構成、および、前記振り分け機構が入賞球を振り分ける球振り分け態様が前記図柄表示体が確定した確定図柄に基いて指定されるように設定した構成を有する。
【０００５】
請求項１に記載した構成を有するパチンコ機において、大入賞口に落入した入賞球のうち、振り分け機構によって振り分けられた入賞球が特定領域を通過してその特定球が特定球検出スイッチによって検出されると、図柄表示体が図柄の変動表示を停止して図柄を確定し、この図柄表示体が確定した確定図柄に基いて大入賞口の開閉態様が開閉態様指定手段によって指定される。
また、図柄表示体が確定する確定図柄のうち当り図柄が出現する確率が確率切換え手段によってゲ−ム進行中に切換えられる。
請求項２では、当り図柄が出現する確率の切換えに際し、１回目の特定球検出時に図柄表示体が確定した確定図柄が当り図柄となると、２回目の特定球検出によって確定される確定図柄が当り図柄となる確率が高確率となる。
請求項３では、図柄表示体が確定した確定図柄に基いて大入賞口の開閉態様と、振り分け機構が入賞球を振り分ける球振り分け態様とが同時に変更される。
【発明の効果】
【０００６】
本発明は前記したように構成してあるので、請求項１によれば図柄表示体が確定する確定図柄によって大入賞口への連続入賞が可能となって特別な利益が与えられる状態を長い時間出現させたり、短い時間出現させたりすることができ、大入賞口への入賞発生が長期的には平均的な入賞発生状態となるように設定しても、短期的には特別な利益が与えられる可能性が高い状況と、特別な利益が与えられる可能性が低い状況とを出現させることができる。
【０００７】
とくに、当り図柄の出現確率をゲ−ム中に切換えることができるので、大入賞口への入賞発生が容易な状況の出現を遊技者に期待させることができ、ゲ−ムに対する期待感を引起してゲ−ムの興趣を高めることができる。
【０００８】
また、図柄表示体が確定した確定図柄に基いて大入賞口の開閉態様を指定することができるので、大入賞口の開閉態様の設定を多様化して特別な利益が与えられる条件の設定を多様に変化させることができる。
【０００９】
請求項２によれば、特定球が１回目に検出されたときに確定された確定図柄が当り図柄となると、２回目の特定球検出によって当り図柄が確定される確率が高くなるので、特別な利益が与えられる状態が継続する可能性が高くなり、ゲ−ムに対する期待感が高められる。
【００１０】
請求項３によれば、図柄表示体の確定図柄に基いて大入賞口の開閉態様と振り分け機構による球振り分け態様とを同時に変更することができるので、大入賞口への入賞発生の難易度と特定球発生の難易度とを同時に変更してゲ−ムの興趣を高めることができるとともに、振り分け機構の作動態様を多様に設定することができる。
【実施例】
【００１１】
次に、本発明がカ−ド式パチンコ機に適用された１実施例を図面にしたがって説明する。
パチンコ機の本体枠１００の下部には上皿１０１と、下皿１０２と、ハンドル１０３とが装着され、本体枠１００内には遊技盤１が設置されている。
【００１２】
本体枠１００の下部で上皿１０１の若干上方には払い出し表示ＬＥＤ１０４と、カ−ド返却ボタン１０５と、カ−ド残高表示ＬＥＤ１０６と、球貸しボタン１０７と、球貸し可ＬＥＤ１０８とが横一列に配列されて設置されている。
【００１３】
本体枠１００の片側には縦長状のカ−ドユニット１１０が隣設され、このカ−ドユニット１１０には上から順にカ−ド利用可ランプ１１１と、端数表示ボタン１１２と、カ−ド挿入中ランプ１１３と、カ−ド挿入口１１４と、カ−ドユニット鍵１１５とが設置されている。
【００１４】
遊技盤１において、遊技盤面１ａの中央部には入賞装置２が設置され、遊技盤面１ａの下端付近には中始動口１０ａおよび中始動口スイッチ１０ａを有する始動口付き役物１０と、左始動口８ａおよび左始動口スイッチ８ｂを有する始動口付き役物８と、右始動口９ａおよび右始動口スイッチ９ｂを有する始動口付き役物９とが設置されている。
【００１５】
遊技盤面１ａの下部の左右端部付近には左下入賞口６ａを有するチュ−リップ式役物６と、右下入賞口７ａを有するチュ−リップ式役物７とが設置され、遊技盤面１ａの上下方向中央部の左右部には左入賞口４ａを有する入賞口付き役物４と、右入賞口５ａを有する入賞口付き役物５とが設置されている。
【００１６】
遊技盤１の裏側にはゲ−ムに関する諸機能をコントロ−ルする入賞制御回路を有する制御基板３が設置されている。
【００１７】
入賞装置２において、遊技盤面１ａにねじ止めされたケ−ス本体１１の内部には前方開放の入賞室１２が形成されるとともに、ケ−ス本体１１の前端部の上端には天入賞口１３が開口されている。
【００１８】
ケ−ス本体１１の上下方向中央部の前側にはパチンコ球を入賞室１２内へ導入する左右１対の大入賞口１４が開設されている。
【００１９】
ケ−ス本体１１内の前下端部の左右方向中央部には入賞室１２内へ落入した入賞球を入賞装置２外へ送り出す球出口３２が開口され、この球出口３２の下方には遊技盤１の裏面に取付けられて球出口３２から送り出された入賞球を検出する大入賞口スイッチ３３が設置されている。
【００２０】
ケ−ス本体１１の上下方向の中央部付近の前側には外方へ傾倒する拡開動作によって大入賞口１４を開放し、内方への復帰動作によって大入賞口１４を閉鎖する左右１対の可動翼片１５が内外方向への傾動可能に軸支されている。
【００２１】
ケ−ス本体１１の後端には制御基板３の入賞制御回路のソレノイド駆動部によって駆動制御されて両可動翼片１５を駆動し、両可動翼片１５の姿勢を拡開姿勢と起立姿勢とに変換させる左右１対の大入賞口ソレノイド１６が結合され、パチンコ球が始動口８ａ，９ａ，１０ａに落入すると、その１秒後に両大入賞口ソレノイド１６が駆動されて大入賞口１４が０．２５秒間開放される。
【００２２】
ケ−ス本体１１内の前端の上下方向中央部には大入賞口１４へ落入した入賞球が転落する棚板１８が入賞室１２の前部を上下に仕切った状態で横架されている。
【００２３】
大入賞口１４に落入した入賞球を振り分ける振り分け機構（キャラクタ）２０において、ケ−ス本体１１内の中央部には振り分け部材（キャラクタ本体）２１が昇降動作可能に設置され、この振り分け部材２１内にはこの振り分け部材２１の前端の中央部に開口された入口部と、振り分け部材２１の後下端部に開口された出口部とを有し、入賞球が通過したときに遊技者に利益を授与する特定領域２４が形成されている。
【００２４】
ケ−ス本体１１内の後下端部には特定領域２４を通過した特定球を検出して入賞制御回路のスイッチ検出部に検出信号を出力する特定球検出スイッチ（近接スイッチ）２５が設置され、大入賞口１５に落入した入賞球のうち特定領域２４を通過した特定球が特定球検出スイッチ２５によって検出されると、その約３．５秒後に入賞制御回路の役物連続装置が作動し、両可動翼片１５が駆動されて拡開動作を反復し、両大入賞口１４が２６．３秒間に１８回反復して開閉され、約３．５秒閉鎖した後再び１８回反復開閉される。
【００２５】
このとき、大入賞口１４は１８回反復開閉のうち１回目から１３回目までは０．８秒間開放されて０．７秒間閉鎖される開閉態様を反復し、１４回目から１８回目までは１秒間停止して０．５秒間閉鎖される開閉態様を反復する。
【００２６】
ケ−ス本体１１の後方に設置された取付け板３０には入賞制御回路のキャラクタ駆動部によって駆動制御されて振り分け部材２１を昇降させるキャラクタモ−タ２６が固定され、このキャラクタモ−タ２６の出力軸には昇降部材２８に連繋されたカム２７が固定され、このカム２７には１８０°の角度範囲にわたって突出された凸部２７ａと、前方へ突出されて昇降部材２８に係合された伝動ピン２７ｂとが形成され、カム２７の１回転毎に昇降部材２８が１回昇降する。
【００２７】
カム２７の凸部２７ａはその始端が上死点へ旋回したときに昇降部材２８および振り分け部材２１が上死点へ上昇するように形成されている。
昇降部材２１はキャラクタモ−タ２６によって駆動されて２秒間に１回の速度で昇降する。
【００２８】
取付け板３０にはカム２７の凸部２７ａの旋回位置を検出する検出部を有するキャラクタスイッチ（フォトインタラプタ）３１が固定され、このキャラクタスイッチ３１はカム２７の凸部２７ａの始端がキャラクタスイッチ３１の検出部内へ進入して振り分け部材２１が上死点へ上昇したとき、および、カム２７の凸部２７ａの終端がキャラクタスイッチ３１の検出部内から脱出して振り分け部材２１が下死点へ下降したときに入賞制御回路のスイッチ検出部に検出信号を出力する。
【００２９】
キャラクタモ−タ２６はパチンコ機の電源投入時に駆動されてその１〜３秒後に振り分け部材２１が下死点へ下降した時点で２．５秒間停止し、次に２秒間回転する間欠回転動作をタイマの指令によって反復し、振り分け部材２１は電源投入時に昇降動作を開始して１〜３秒後に下死点で２．５秒間停止し、次に、２秒間で１回昇降して下死点で停止する間欠回転動作を反復する。
【００３０】
ケ−ス本体１１内の前下部に前下り状に設置された底板１１ａ上には１個の入賞球の通り抜けが可能な球受け部材３４が振り分け部材２１の前側に隣接して立設されている。
【００３１】
球受け部材３４の上端には棚板１８の後端縁の左右方向中央部の後下方で、特定領域２４の入口部の前側に隣設された入口部３４ａが開口され、球受け部材３４の前下端には球出口３２の後方に設置された出口部３４ｂが開口されている。
【００３２】
振り分け部材２１が上死点へ上昇すると、特定領域２４の入口部が棚板１８の後端縁および球受け部材３４の後上方へ変位して特定領域２４の入口部が開放され、特定領域２４内への入賞球の進入が可能となり、入賞球が特定領域２４内および特定領域２４外へ振り分けられる。
【００３３】
振り分け部材２１が下死点へ下降すると、特定領域２４の入口部が球受け部材３４によって遮断され、特定領域２４内への入賞球の進入が不能となり、棚板１８上へ転落した入賞球は球受け部材３４内若しくはその左右方に振り分けられて球出口３２内へ落入する。
【００３４】
底板１１ａの上の左右端部付近で球受け部材３４の両側にはピンによって底板１１ａに左右方向への揺動可能に結合された左右１対の揺動部材３５が設置されている。
【００３５】
ケ−ス本体の後下端には入賞制御回路のキャラクタ駆動部によって駆動制御されて揺動部材３５を相反方向へ揺動させるキャラクタ用ソレノイド３６が結合され、キャラクタ用ソレノイド３６のプランジヤが進動したときには両揺動部材３５が共に内方の揺動端へ揺動して両揺動部材３５の前端部が接近し、球受け部材３４の出口部が両揺動部材３４によって遮断され、球受け部材３４内に落入した入賞球は球受け部材３４内に停留する。
【００３６】
両大入賞口１４の後側には大入賞口１４に入賞した入賞球数を点灯数によって表示する５個１組の大入賞口入賞数表示ＬＥＤ３８がそれぞれ設置されている。
【００３７】
ケ−ス体１１内の前下端部には入賞制御回路の確率設定記憶回路に記憶されたプログラムに基いて図柄を変動表示してから図柄を確定表示する図柄表示体４０が設置されている。
【００３８】
図柄表示体４０はパチンコ機の電源投入時に１１，２２，３３，４４，５５，６６，７７，８８の８図柄の変動表示を開始して８図柄を順に変動表示し、入賞球が特定領域２４を通過して特定球検出スイッチ２５によって検出されたときに図柄の変動表示を停止して８図柄のうちの１図柄を確定表示し、その後、図柄の変動表示を再開するように入賞制御回路の図柄駆動部によって作動制御される。
【００３９】
図柄表示体４０は図柄の変動表示に際し、０１〜０８の図柄デ−タにそれぞれ対応する１１，２２，３３，４４，５５，６６，７７，８８の８図柄を１図柄０．５１２秒，１周期０．５１２秒の移行速度で変動表示する。
【００４０】
図柄表示体４０が変動表示後確定した確定図柄が３３，７７の何れかとなってＣＰＵの図柄判定部によって当り図柄（特定図柄）と判定された場合には大入賞口１４の開閉態様すなわち大入賞口１４のト−タル開閉回数を指定する入賞制御回路の大入賞口開閉態様指定手段の指令によって大入賞口１４の１８回反復開閉が例えば１６回連続して繰返されるように設定されている。
【００４１】
図柄表示体４０が変動表示後確定表示した確定図柄が１１，２２，４４，５５，６６，８８となって図柄判定部によって外れ図柄と判定された場合には開閉態様指定手段の指令によって大入賞口１４の１８回反復開閉が例えば２回連続して繰返されるように設定されている。
【００４２】
但し、上記実施例では図柄表示体４０の確定図柄に基いて大入賞口１４の１８回反復開閉の繰り返し回数を指定するようにしたが、これに代えて特定球発生時の大入賞口１４の開閉回数を確定図柄に基いて指定するようにしてもよい。
例えば、特定球が発生して図柄表示体４０の確定図柄が当り図柄３３，７７となった場合には、大入賞口１４が１６回反復して開閉され、確定図柄が外れ図柄１１，２２，４４，５５，６６，８８となった場合には大入賞口１４が２回反復して開閉されるように設定する。
【００４３】
図柄表示体４０が変動表示後確定する８図柄のうち当り図柄３３，７７が出現する確率は入賞制御回路の確率設定記憶回路４１の確率切換え手段によって通常確率と高確率とにゲ−ム進行中に切換えられるようにプログラミングされている。
【００４４】
当り図柄が出現する確率は電源投入時には通常確率となっており、本例では図柄表示体４０が１回目の特定球発生時に確定する確定図柄が、当り図柄となる確率は通常確率で、この１回目の確定図柄が当り図柄となった場合に図柄表示体４０が２回目の特定球発生時に確定する確定図柄が、当り図柄となる当り確率が高確率に切換えられるように設定されている。
【００４５】
確率切換え手段による当り図柄の切換えに際し、入賞球が特定領域２４を通過して役物連続作動装置が作動し、図柄表示体４０が確定した確定図柄が当り図柄となった場合に役物連続作動装置が作動を停止した時点で当り確率が通常確率から高確率に切換えられる。
この状態で入賞球が再び特定領域２４を通過して役物連続作動装置が再作動し、図柄表示体４０が高確率状態で確定した確定図柄が外れ図柄となった場合にその時点で当り確率が高確率から通常確率に切換えられて役物連続作動装置が作動を停止した時点で電源投入時の状態に戻るようにプログラミングされている。
但し、高確率中に当り図柄が出現した場合には高確率状態が継続する。
【００４６】
当り図柄が出現する当り確率の切換えに際し、判定デ−タとして使用する乱数の総数は１００個（０〜９９）で４ｍＳ毎に＋１されて０．４５で１回りし、役物連続作動装置の作動時に取出された乱数が判定図柄デ−タとなる。
通常確率時には１００個の乱数のうち１７個の乱数が当り図柄用の判定図柄デ−タとなって当り図柄が出現する当り確率はプログラム上では１７／１００となり、外れ図柄が出現する外れ確率は８３／１００となるように設定されている。
【００４７】
また、高確率時には１００個の乱数のうち５０個（若しくは４６個，４２個）の乱数が当り図柄用の判定図柄デ−タとなって当り図柄が出現する確率は５０／１００となるように設定されている。
【００４８】
遊技盤１の裏側に設置されて制御基板３が内部に収納された基板ボックス内にはキ−が差込まれる鍵穴を有し、図柄表示体４０が高確率時に当り図柄を表示する確率をキ−操作によって３段階に切換える確率モ−ド設定スイッチ４２および３つの設定表示ＬＥＤが設置されている。
【００４９】
キ−を回動操作して確率モ−ド設定スイッチ４２の設定モ−ドを切換えると、３つの設定表示ＬＥＤ４３のうちの１個，２個乃至３個が点灯して確率モ−ドが３段階に変更され、高確率時に判定図柄デ−タとして使用される１００個の乱数のうち、５０個の乱数が当り図柄用の判定図柄デ−タとなって高確率時の当り図柄の出現確率が５０／１００となる場合と、１００個の乱数のうち、４６個の乱数が当り図柄用の判定図柄デ−タとなって高確率時の当り図柄の出現確率が４６／１００となる場合と、１００個の乱数のうち４２個の乱数が当り図柄用の判定図柄デ−タとなって高確率時の当り図柄の出現確率が４２／１００となる場合とに切換えられる。
【００５０】
ゲ−ムに際し、ハンドル１０３の回動操作によって遊技盤面１ａへ打込まれたパチンコ球が入賞口４ａ，５ａ，６ａ，７ａ，１３および始動口８ａ，９ａ，１０ａに入賞すると、５個のパチンコ球を獲得することができ、パチンコ球が大入賞口１４に入賞すると、１５個のパチンコ球を獲得することができる。
【００５１】
パチンコ機の電源投入時には振り分け部材２１は下死点で停止する間欠昇降動作を開始し、図柄表示体４０は図柄の変動表示を開始する。
【００５２】
パチンコ球が始動口８ａ，９ａ，１０ａに入賞すると、両可動翼片１５がその１秒後に１回拡開して両入賞口１４が０．２５秒間１回開放され、また、役物連続作動装置が約３．２５秒間作動してから作動を停止する。
【００５３】
大入賞口１４の開放中に大入賞口１４に入賞した入賞球が特別領域２４を通過してその特定球が特定球検出スイッチ２５によって検出されると、その時点で図柄表示体４０が図柄の変動表示を停止して図柄を確定表示し、また、その約３．５秒後に連続役物作動装置が作動し、可動翼片１５が反復拡開動作を開始して大入賞口１４の１８回反復開閉が図柄表示体４０の確定図柄に基いて２回乃至１６回繰返される。
【００５４】
また、振り分け部材２１は入賞球が特別領域２４を通過したときに下死点で停止し、大入賞口１４の１０回目の開放時点、若しくは、大入賞口１４に入賞した入賞球が４個カウントされた時点で上昇して大入賞口１４の１８回目の閉鎖時点、若しくは、大入賞口１４に入賞した入賞球が１０個カウントされた時点までの間上死点で停止する。
【００５５】
両揺動部材３５は入賞球が特別領域２４を通過した時点で内外方向への反復揺動動作を開始して大入賞口１４の１回目の開放時点で外方の揺動端で静止し、また、大入賞口１４の１０回目の開放時点若しくは大入賞口１４に入賞した入賞球が４個カウントされた時点で揺動動作を２回反復して外方の揺動端で静止する。
【００５６】
パチンコ球が反復開閉中の大入賞口１４に１０個入賞したときにはその時点で大入賞口１４の反復開閉が停止する。
【００５７】
パチンコ球が大入賞口１４の反復開閉中に始動口８ａ，９ａ，１０ａに入賞したときには規定数のパチンコ球を獲得するだけに止まり、大入賞口１４の反復開閉終了後大入賞口１４は開閉されない。
【００５８】
続いて、上記した構成を有する実施例の作用と効果を説明する。
本例では拡開動作および復帰動作によって大入賞口１４を開閉する可動翼片１５と、大入賞口１４に落入した入賞球を振り分ける振り分け機構２０と、この振り分け機構２０によって振り分けられた入賞球のうち遊技者に利益を与える特定領域２４を通過した特定球を検出する特定球検出スイッチ２５と、特定球が検出されたときに図柄の変動表示を停止して図柄を確定する図柄表示体４０とを備えた入賞装置２を遊技盤面１ａに設置するとともに、大入賞口１４の開閉態様を図柄表示体４０が確定した確定図柄に基いて指定する開閉態様指定手段と、前記確定図柄のうち当り図柄が出現する確率をゲ−ム進行中に切換える確率切換え手段とを設け、図柄表示体４０が１回目の特定球検出時に確定した確定図柄が当り図柄となったときに２回目の特定球検出によって当り図柄が出現する確率が前記確率切換え手段によって通常確率から高確率に切換えられるように設定してある。
【００５９】
このため、図柄表示体４０が確定する確定図柄によって大入賞口１４への連続入賞が可能となって特別な利益が与えられる状態を長い時間出現させたり、短い時間出現させたりすることができ、大入賞口１４への入賞発生が長期的には平均的な入賞発生状態となるように設定しても、短期的には特別な利益が与えられる可能性が高い状況と、特別な利益が与えられる可能性が低い状況とを出現させることができる。
【００６０】
とくに、当り図柄の出現確率をゲ−ム中に切換えることができるので、大入賞口への入賞発生が容易な状況の出現を遊技者に期待させることができ、ゲ−ムに対する期待感を引起してゲ−ムの興趣を高めることができる。
【００６１】
また、図柄表示体４０が確定した確定図柄に基いて大入賞口の開閉態様を指定することができるので、大入賞口の開閉態様の設定を多様化して特別な利益が与えられる条件の設定を多様に変化させることができる。
特定球が１回目に検出されたときに確定された確定図柄が当り図柄となると、２回目の特定球検出によって当り図柄が確定される確率が高くなるので、特別な利益が与えられる状態が継続する可能性が高くなり、ゲ−ムに対する期待感が高められる。
【００６２】
上記実施例において、振り分け機構２０が入賞球を振り分ける球振り分け態様を、特定球発生時に図柄表示体４０が確定した確定図柄に基いて変更するようにしてもよい。
【００６３】
例えば、振り分け部材２１の昇降態様を図柄表示体４０の確定図柄によって指定し、図柄表示体４の確定図柄が当り図柄となった場合に振り分け部材２１が上死点で長い時間静止させるようにて特定球が発生し易い状況を出現させるようにする。
【００６４】
この場合には図柄表示値４０の確定図柄に基いて大入賞口１４の閉態様と振り分け機構２０による球払い分け態様とを同時に変更することができるので、大入賞口１４への入賞発生の難易度とを特別球発生の難易度とを同時に変更してゲ−ムの興趣を高めることができる
【図面の簡単な説明】
【００６５】
【図１】本発明の１実施例を示すパチンコ機の正面図である。
【図２】遊技盤の正面図である。
【図３】入賞装置の正面図である。
【図４】入賞装置の側断面図である。
【図５】振り分け機構による球振り分け態様を説明する振り分け機構の正面図である。
【図６】振り分け部材の昇降動作を説明する振り分け機構の正面図である。
【図７】揺動部材の揺動態様を説明する振り分け機構の斜視図である。
【図８】入賞制御回路のブロック図である。
【図９】振り分け部材の昇降態様を説明する電源投入時のタイムチャ−トである。
【図１０】始動口入賞時の大入賞口の開閉態様および役者連続作動装置の作動態様を説明するタイムチャ−トである。
【図１１】図柄表示体の確定図柄の確率切換え態様を説明するタイムチャ−トである。
【図１２】特定球発生時の大入賞口の開閉態様，振り分け部材の作動態様，揺動部材の作動態様，役物連続作動装置の作動態様を説明するタイムチャ−トである。
【符号の説明】
【００６６】
１    遊技盤
２    入賞装置
３    制御基板
１４  大入賞口
１５  可動翼片
２０  振り分け機構
２１  振り分け部材
２４  特定領域
２５  特定球検出スイッチ
４０  図柄表示体
【図１】
2006122717.tif 000003
【図２】
2006122717.tif 000004
【図３】
2006122717.tif 000005
【図４】
2006122717.tif 000006
【図５】
2006122717.tif 000007
【図６】
2006122717.tif 000008
【図７】
2006122717.tif 000009
【図８】
2006122717.tif 000010
【図９】
2006122717.tif 000011
【図１０】
2006122717.tif 000012
【図１１】
2006122717.tif 000013
【図１２】
2006122717.tif 000014